(57)【特許請求の範囲】
【請求項１】
外周にシート端部が巻き付けられる異形横断面のシート止め具と、折り返された状態のシート端部の通過を許容する開口を備え、シート端部が巻き付けられた前記シート止め具をシート自身が展張する方向に対して保持する保持具とを有し、前記シート止め具の少なくともシート自身が展張する方向側の横断面形状が、前記開口側を頂点側とする三角形状に形成されており、前記保持具の内面の前記開口に至る部分が、前記三角形状に沿う形状に形成されていることを特徴とするシート展張装置。
【請求項２】
前記保持具に、該保持具をシートを展張する方向に位置調整可能な手段が連結されている、請求項１のシート展張装置。
【請求項３】
シート端縁に沿って、前記シート止め具と保持具が、それらの幅よりも大きい間隔をもって断続的に配置されている、請求項１または２のシート展張装置。
【請求項４】
シート端部が巻き付けられた前記シート止め具を保持する前記保持具の内面に、シート端部の抜け防止用の凹凸が付与されている、請求項１ないし３のいずれかに記載のシート展張装置。
【請求項５】
前記シート止め具および保持具の少なくとも一方が、アルミニウムまたはアルミニウム合金から構成されている、請求項１ないし４のいずれかに記載のシート展張装置。
【発明の詳細な説明】
【０００１】
【発明の属する技術分野】
本発明は、比較的広い面積を有するシート状物を展張させるためのシート展張装置に関し、とくに、皺を発生させることなく容易にシート状物を展張させることができ、操作や設定を極めて簡単に行うことができるシート展張装置に関する。
【０００２】
【従来の技術】
シート状物で構成され、広い面積を有する看板やテント、カーテン、間仕切り等にあっては、単なる設置のみならず、塗装や改装、補修等のために、皺を発生させることなく展張させることが要求される。また、上下から展張具を用いて展張させる場合、とくに上側は高所作業となることが多いので、作業の容易性や確実性も求められ、さらには、操作性が良く小型で軽量の展張具が求められる。
【０００３】
従来の展張具は、たとえば図７に示すように、広い面積を有する看板等のシート１０１の端部１０２を、そのまま巻き込み、あるいは何らかの治具状物に数重に巻き付け、たとえばＣ字状横断面の保持具１０３内に納めた後、保持具１０３をプライヤ等でかしめて該保持具１０３内にシート端部１０２を固定、保持し、その状態にて、保持具１０３を、シート１０１を展張させる方向１０４（シート１０１自身が展張する方向は方向１０５）に引っ張ってシート１０１を張設するようにしていた。
【０００４】
しかしこのような従来方法では、図８に示すように、広い面積を有するシート１０１に複数の保持具１０３を設定（施工）するに際し、各保持具１０３をシート端部１０２に対して斜めから差し込む必要があり、設定が行いづらいとともに、保持具１０３の姿勢やシート端部１０２の巻き込み状態が不完全であると、シート展張時に皺がよりやすいという問題がある。皺がよってしまうと、保持具１０３を設定し直さなければならないが、上述の如く保持具１０３をかしめているので、それを解除するのに手間がかかり、とくに高所作業としては改善が望まれていた。
【０００５】
【発明が解決しようとする課題】
本発明の課題は、このような従来方法における問題点に着目し、高所等にあっても所望の状態や姿勢への施工、設定が容易で、設定した状態で簡単にシートを引っ張ることができ、引っ張った状態で皺の発生を確実に防止でき、しかも目標とする展張状態に確実に保持することが可能な、簡単な構造でありながら実用的に極めて便利かつ有用なシート展張装置を提供することにある。
【０００６】
【課題を解決するための手段】
上記課題を解決するために、本発明に係るシート展張装置は、外周にシート端部が巻き付けられる異形横断面のシート止め具と、折り返された状態のシート端部の通過を許容する開口を備え、シート端部が巻き付けられた前記シート止め具をシート自身が展張する方向に対して保持する保持具とを有し、前記シート止め具の少なくともシート自身が展張する方向側の横断面形状が、前記開口側を頂点側とする三角形状に形成されており、前記保持具の内面の前記開口に至る部分が、前記三角形状に沿う形状に形成されていることを特徴とするものからなる。
【０００７】
上記保持具に、該保持具をシートを展張する方向に位置調整可能な手段を連結することにより、保持具の位置を調整してシートを引っ張ることができるようになり、それによってシートを所望の展張状態に調整することができる。
【０００８】
そして、広い面積を有するシートに対しては、シート端縁に沿って、前記シート止め具と保持具が、それらの幅よりも大きい間隔をもって断続的に配置されている（所定の間隔をもって複数配置されている）構成を採ることができる。各保持具の位置を調整することにより、シート全体を張設して所望の展張状態とすることができる。
【０００９】
本発明において、シート止め具の横断面形状は、とくに、シート止め具の少なくともシート自身が展張する方向側の横断面形状が、前記開口側を頂点側とする三角形状に形成されており、保持具の内面の開口に至る部分が、この三角形状に沿う形状に形成されている。このような構成とすれば、シートを張設する際、くさび効果によりシート止め具と保持具の内面との間に自然にシート端部が締め込まれ、所定の状態に固定される。また、シート止め具の三角形状部が自動的に保持具の内面の三角形状部に沿うことになるので、シート止め具の姿勢が自然に所定の姿勢に決められることになる。
【００１０】
また、シート端部がシート止め具と保持具との間に所定の姿勢に固定、保持された状態にて、シート端部がすり抜けたり位置がずれたりするのをより確実に防止するためには、シート端部が巻き付けられたシート止め具を保持する上記保持具の内面に、シート端部の抜け防止用の凹凸が付与されていることが好ましい。凹凸の形状はとくに限定しないが、たとえば鉤状断面の凹凸形状とすれば、シートが食い込むのでより確実に固定できる。
【００１１】
このような本発明に係るシート展張装置の材質もとくに限定しないが、シート張設に比較的大きな力を加えるため比較的高い強度、剛性が要求されること、高所作業となることが多いので取り扱い上、小型、軽量なものが要求されること等に配慮した材質の選択が好ましい。たとえば、シート止め具および保持具の少なくとも一方が（望ましくは両方が）、アルミニウムまたはアルミニウム合金から構成されていることが好ましい。
【００１２】
【発明の実施の形態】
以下に、本発明の望ましい実施の形態について、図面を参照して説明する。
図１ないし図５は、本発明の一実施態様に係るシート展張装置を示している。図１において、１は対象となるシートを示しており、たとえばシートに構成されている比較的広い面積の看板やテント、カーテン、折り畳み方式等の間仕切り、劇場の幕やその他の飾り用あるいは仕切り用の幕などからなる。このようなシート１に対して、シート展張装置２が施工、あるいは設定される。シート展張装置２はシート１の端部に対して設定される。設定するシート１の端部位置はとくに限定しないが、広い面積のシート１を展張することを考慮すれば、少なくともシート１の上端に、望ましくは上下端の両方に設定することが好ましい。そして、このシート展張装置２は、後述の如く、シート端縁に沿って複数断続的に配置される。
【００１３】
シート展張装置２は、外周にシート端部１ａが巻き付けられる異形横断面のシート止め具３を備えており、本実施態様では、シート止め具３は、図３にも示すように、横断面三角形のアルミニウム合金製パイプ状物に形成されている。また、シート展張装置２は、シート止め具３に巻き付けられないで単に折り返された状態のシート端部１ａの通過を許容する間口を有する開口４を備え、シート端部１ａが巻き付けられたシート止め具３をシート自身が展張する方向Ａに対して保持する保持具５を有している。本実施態様では、この保持具５もアルミニウム合金で構成されており、シート展張装置２全体の軽量化とともに、必要な強度、剛性が確保されている。上記開口４は、ラッパ状に開いたガイド部６によって形成されており、折り返された状態のシート端部１ａが円滑に開口４を通過できるように（シート端部１ａがスムーズに差し込めるように）なっている。
【００１４】
保持具５には、上記シート端部１ａが巻き付けられたシート止め具３を収容する内部空間７が形成されており、図３にも示すように、内部空間７はシート止め具３の幅方向に貫通させて形成されている。したがって、シート止め具３にシート端部１ａを巻き付けた状態にて、シート１の端縁に沿って横方向からスライドさせるように、シート端部１ａが巻き付けられたシート止め具３を内部空間７内に収容できるようになっている。
【００１５】
保持具５の開口４と反対側には、保持具５をシート１を展張する方向Ｂに位置調整可能な展張調整手段８が連結されている。展張調整手段８は、図４にも示すように、ボルト９、その一端部に形成された拡径部１０、拡径部１０に係止されるワッシャー１１、ボルト９のねじ部に螺合されたナット１２、ナット１２に係合するスプリングワッシャー１３を有している。拡径部１０が、保持具５に形成された連結用空間１４（図３）内に収容され、ワッシャー１１が係合空間１５（図３）内に収容されることにより、展張調整手段８と保持具５とが連結されている。ワッシャー１１を係合空間１５内に挿入した後には、ワッシャー１１が係合空間１５から抜け出るのを防ぐために、適当な抜け止めを施しておくとよい。たとえば、保持具５のワッシャー１１設置部の両側部分を、簡単にかしめておくとよい。この状態で、ナット１２を締め込むことにより、スプリングワッシャー１３を介して、看板等用のフレームアングル１６を基準位置として、ボルト９をシート１を展張する方向Ｂに移動させ、シート１を引っ張ることができるようになっている。フレームアングル１６は、架台アングル１７に固定されている。１８は、展張後の見栄えを良くするために、シート展張装置２や展張調整手段８部分を覆い隠すカバーを示しており、必要に応じて設ければよい。
【００１６】
上記のようなシート展張装置２が、たとえば図５に示すように、シート１の端縁に沿って、複数断続的に設けられる。各シート展張装置２間の間隔Ｐは、シート展張装置２の幅Ｗよりも大きく設定されている。したがって、図５に２点鎖線で示すように、各シート展張装置２が斜めに傾けられることなく真っ直ぐに平行移動され、その開口４から、折り返されただけのシート端部１ａが挿入され、挿入後に、シート展張装置２を横移動させることにより、シート端部１ａが巻き付けられたシート止め具３を保持具５の内部空間７内に収容する操作を容易に行うことができるようになっている。
【００１７】
このように構成されたシート展張装置２においては、ガイド６によって形成された開口４から折り返されただけのシート端部１ａを簡単に挿入でき、シート展張装置２を横移動させて、シート端部１ａが巻き付けられたシート止め具３を保持具５の内部空間７内に容易に収容できる。この操作では、シート展張装置２を斜めに傾ける必要はなく、所定姿勢のまま平行移動させるだけで、上記の状態に到達できる。また、ラッパ状に開いたガイド６が設けられているので、開口４へのシート端部１ａの挿入も極めて容易に行われる。すなわち、シート展張装置２の施工、設定を極めて容易に、かつ、所定の位置に正確に、行うことができるようになる。
【００１８】
この状態から、展張調整手段８による調整操作（展張操作）が行われ、内部空間７内に収容された、シート端部１ａが巻き付けられたシート止め具３が図１のＢ方向に引っ張られ、それに伴ってシート１が引っ張られ、展張される。このとき、シート止め具３と保持具５の内面は近接し、間に位置する、シート止め具３に巻き付けられたシート端部１ａが、自然にその間に締め込まれて固定、保持されることになる。とくに本実施態様では、シート止め具３が横断面三角形に、保持具５の内面も対応する三角形状に形成されているので、上記締め込み時にくさび効果が生じて自然にストッパ機能が発揮され、シート端部１ａがより確実に保持、固定される。
【００１９】
このように、シート端部１ａの固定、保持からシート１の展張まで、極めて簡単な操作にて行うことができる。また、シート展張装置２が精度良く所定の姿勢に設定されており、かつ、シート端部１ａの固定も、横断面三角形のシート止め具３とそれに対応する形状の保持具５の内面によって、的確に所定の状態に決められているので、シート展張時にシート１に皺が入ることもない。
【００２０】
また、上記のシート端部１ａの固定、保持をより確実に行うために、たとえば図６に示すように、保持具５の内部空間７を形成している内面に、とくに横断面三角形のシート止め具３との間でくさび効果を発揮する内面に、凹凸２１を付与しておくことが好ましい。凹凸２１の形状は特に限定しないが、図６に示すような抜け止め方向に鉤形に形成しておくと、シート端部１ａが食い込んでいくので、より確実に固定、保持を行うことができるようになる。
【００２１】
図５に示したように、複数のシート展張装置２が所定間隔に設定され、各シート展張装置２により上記の如く簡単な操作でシート１を引っ張っていくことにより、シート１の全域にわたって皺の発生しない所望の展張状態が得られる。
【００２２】
【発明の効果】
以上説明したように、本発明に係るシート展張装置によれば、該展張装置を所望の位置に容易に設定でき、かつ、設定時に展張装置を傾けたりする必要がないので、所定の姿勢に精度良く設定できる。この状態で単にシートを引っ張るだけで、自動的にシート端部を所定の状態に保持、固定できるので、展張操作が極めて簡単であり、しかもシート展張装置が所定の姿勢に精度良く設定されているので、展張時の皺の発生も確実に防止することができる。したがって、高所等にあっても極めて容易にシート展張装置の施工、設定を行うことができ、その操作も極めて容易なものとすることができ、広い面積のシートに対しても、皺を発生させることなく確実に所望の状態に展張することができる。
【図面の簡単な説明】
【図１】本発明の一実施態様に係るシート展張装置の断面図である。
【図２】図１の装置のシート止め具の斜視図である。
【図３】図１の装置の保持具の斜視図である。
【図４】図１の装置の展張調整手段の斜視図である。
【図５】図１の装置をシートに対し複数設定する場合の様子を示す概略部分正面図である。
【図６】本発明の別の実施態様に係るシート展張装置の保持具の側面図である。
【図７】従来のシート端部保持方法を示す概略断面図である。
【図８】従来の保持具を複数設定する場合の様子を示す概略部分正面図である。
【符号の説明】
１  シート
１ａ  シート端部
２  シート展張装置
３  シート止め具
４  開口
５  保持具
６  ガイド部
７  内部空間
８  展張調整手段
９  ボルト
１０  拡径部
１１  ワッシャー
１２  ナット
１３  スプリングワッシャー
１４  連結用空間
１５  係合空間
１６  フレームアングル
１７  架台アングル
１８  カバー
２１  凹凸
【図１】
0003902470.tif 000002
【図２】
0003902470.tif 000003
【図３】
0003902470.tif 000004
【図４】
0003902470.tif 000005
【図５】
0003902470.tif 000006
【図６】
0003902470.tif 000007
【図７】
0003902470.tif 000008
【図８】
0003902470.tif 000009